(57)【要約】【課題】  乳幼児の成長に応じて腹部の収納容積の大きさを変えることのできる子守帯を提供する。【解決手段】  子守帯の前当て部１は、表側の中央の布地を内側に畳み込んだまち部２０と、このまち部２０を閉じるように前当て部１の中央において上下に延びるスライドファスナ２１とを有する。スライダ２２を下方に引き下げるとまち部２０が露出するようになるので、前当て部１の幅方向長さを大きくすることができる。【選択図】      図７
2005270177.tif 000002
【特許請求の範囲】
【請求項１】
乳幼児の腹部を支持するものであり、その幅方向長さが可変である前当て部と、
前記前当て部に連なり乳幼児の股部を支持する股当て部と、
前記股当て部に連なり乳幼児の背部を支持する背当て部と、
前記前当て部と前記背当て部とを連結する連結手段と、
前記前当て部の幅方向長さを固定する固定手段とを備える、子守帯。
【請求項２】
前記前当て部は、内側または外側に畳み込んだまち部を有し、
前記固定手段は、前記まち部が幅方向に広がるのを阻止する係止部材を含む、請求項１に記載の子守帯。
【請求項３】
前記前当て部は、中央の布地を内側に畳み込んだまち部を有し、
前記固定手段は、前記まち部を閉じるように前当て部の中央において上下に延びるスライドファスナを含む、請求項１に記載の子守帯。
【発明の詳細な説明】
【技術分野】
【０００１】
この発明は、子守帯に関し、特に成長に合わせてサイズを変更できる子守帯に関するものである。
【背景技術】
【０００２】
特開２００１−９５６５４号公報（特許文献１）は、乳幼児の成長に応じて柔軟にその形態を変化させることにより、乳幼児の頭部を適切に保護することのできる子守帯を開示している。
【特許文献１】特開２００１−９５６５４号公報（段落００２１、図１）
【発明の開示】
【発明が解決しようとする課題】
【０００３】
特開２００１−９５６５４号公報に開示された発明は乳幼児の頭部の保護に焦点を当てているが、腹式呼吸をする乳幼児の腹部の保護も非常に大切である。乳幼児の腹部は、子守帯の前当て部と背当て部とによって挟持される。前当て部と背当て部との間の間隔が身体の小さい乳幼児の腹部の大きさに適合するものであるならば、成長して身体が大きくなった乳幼児にとってはその間隔が窮屈なものとなり、前当て部によって腹部が圧迫されることになる。
【０００４】
特開２００１−９５６５４号公報に開示された子守帯の場合、前当て部の上部にベルト部材が設けられており、このベルト部材の両端にあるフック部材を背当て部に対して着脱可能に連結している。文章として特に明記されていないが、図面を見る限り、前当て部上部のベルト部材の長さを調節することが可能であると思われる。したがって、このベルト部材の長さを調節することにより、前当て部と背当て部との間隔を調節することができる。
【０００５】
身体が大きくなった乳幼児に適合させるために、ベルト部材の長さを長くして前当て部と背当て部との間隔を大きくした場合、乳幼児の側部に形成される隙間が大きくなってしまうので、安全上好ましくない。また、成長に応じて乳幼児の腹部の横の広がりが大きくなるので、乳幼児の腹部に対する前当て部の相対面積は次第に小さくなる。
【０００６】
この発明の目的は、乳幼児の成長に応じて腹部の収納容積の大きさを変えることのできる子守帯を提供することである。
【課題を解決するための手段】
【０００７】
この発明に従った子守帯は、乳幼児の腹部を支持するものであり、その幅方向長さが可変である前当て部と、前当て部に連なり乳幼児の股部を支持する股当て部と、股当て部に連なり乳幼児の背部を支持する背当て部と、前当て部と背当て部とを連結する連結手段と、前当て部の幅方向長さを固定する固定手段とを備える。
【０００８】
上記構成の本発明によれば、前当て部の幅方向長さが可変であるので、乳幼児の成長に応じて乳幼児の腹部を支持する前当て部の面積を大きくすることができる。したがって、身体の大きくなった乳幼児に対しても腹部に対する前当て部の面積を大きく保つことができ、しかも前当て部と背当て部との隙間を小さく維持することができる。
【０００９】
前記前当て部は、例えば、内側または外側に畳み込んだまち部を有する。また、固定手段は、まち部が幅方向に広がるのを阻止する係止部材を含む。
【００１０】
一つの実施形態では、前当て部は、中央の布地を内側に畳み込んだまち部を有し、固定手段は、まち部を閉じるように前当て部の中央において上下に延びるスライドファスナを含む。
【発明を実施するための最良の形態】
【００１１】
図１および図２は、この発明の一実施形態の子守帯の展開状態を示す図であり、図１は子守帯の内側の面を示し、図２は子守帯の外側の面を示している。図３は、背当てパッド１２を取り出した状態を示している。
【００１２】
図４は、ヘッドサポート部４が背当て部３とほぼ同方向に延在している使用形態を示し、図５は、ヘッドサポート部４が背当て部３に対して起立した使用形態を示している。図６は使用状態にある子守帯の前当て部１を正面側から見た図であり、図７は前当て部１の幅方向の広がりを大きくした状態を示している。図８はヘッドサポート部４を背当て部３の背面側に折り返した状態を示し、図９はヘッドサポート部４および背当て部３の上方部分を折り返した状態を示している。
【００１３】
図１０〜図１６は、乳幼児を保持する種々の形態を示している。図１０は横抱き状態を示し、図１１は母親と乳幼児とが対面した縦抱き状態を示している。図１２は、子守帯を保持した母親の背中側の状態を示している。図１３は、図１１に示す状態から、ヘッドサポート部４を折り返した状態を示している。図１４は、おんぶの状態を示している。図１５は、図１４の状態から、ヘッドサポート部４を折り返した状態を示している。図１６は、乳幼児が前方に向いている縦抱き状態を示している。
【００１４】
主に図１および図２を参照して、子守帯の構成を説明する。
【００１５】
図示した実施形態の子守帯は、基本的には一体となった一つの部材からなり、種々の乳幼児保持形態を実現できるようになっている。具体的には、子守帯は、乳幼児の腹部を支持する前当て部１と、前当て部１に連なり乳幼児の股部を支持する股当て部２と、股当て部２に連なり乳幼児の背部を支持する背当て部３と、背当て部３に連なり乳幼児の頭部を支持するヘッドサポート部４と、ヘッドサポート部４の両側部から側方に張り出している１対の側方張出部５と、背当て部３の両側縁に連なって上下方向に延在する１対の側部形成部材６と、１対の側方張出部５の先端と１対の側部形成部材６とを着脱可能に連結する連結手段とを備える。
【００１６】
各側部形成部材６は、背当て部３の側部に位置して乳幼児の側部を支持する側壁形成部６１と、背当て部３の上端から上方に延びている肩掛け帯部６２とを含む。
【００１７】
子守帯は、１対の側部形成部材６上に固着されて上下方向に延びる第１ベルト部材１３および第２ベルト部材１４を備える。第１ベルト部材１３および第２ベルト部材１４は、股当て部２上で交差する。第１および第２ベルト部材１３，１４は、その上下端が肩掛け帯部６２および股当て部２を越えて長く延びており、その両端に互いに係合する連結具を有している。図示する実施形態では、第１ベルト部材１３は、その上端に連結差込具１７を有し、その下端に連結差込具１７と係合する連結受具１８を有している。同様に、第２ベルト部材１４も、その上端に連結差込具１７を有し、その下端に連結差込具１７と係合する連結受具１８を有している。
【００１８】
１対の側方張出部５の先端と１対の側部形成部材６とを着脱可能に連結する連結手段は、１対の側方張出部５の先端に設けられた先端連結具７と、先端連結具７に係合可能であり１対のベルト部材１３，１４上に設けられた第１連結具８と、先端連結具７に係合可能であり第１連結具８よりも下方の位置で１対のベルト部材１３，１４上に設けられた第２連結具９とを含む。１対のベルト部材１３，１４上には、第２連結具９よりも下方の位置に第３連結具１０が設けられている。
【００１９】
図示した実施形態では、第１、第２および第３連結具８，９，１０は子守帯の背面上に露出した留めボタンであり、先端連結具７は、留めボタンを着脱可能に受入れる係合穴を有している。好ましくは、先端連結具７は、表裏反転させても留めボタンに係合し得る構造となっている。他の形態として、先端連結具７を、側方張出部５の先端に自由に回転できるように連結してもよい。
【００２０】
前当て部１の先端部分の両側部には、第３連結具１０に着脱可能に係合する連結具１９が取り付けられている。この連結具１９は、上述した先端連結具７と同じ構造であり、留めボタンを着脱可能に受入れる係合穴を有している。
【００２１】
図３に示すように、背当て部３は、背面側において袋状部分を形成する背面カバー１１と、背面カバー１１の下に出し入れ可能に装着される背当てパッド１２とを含む。図１および図２は背当てパッド１２が装着されている状態を示し、図３は背当てパッド１２を取り外した状態を示している。背面カバー１１の先端は、互いに接合する面ファスナー１５および１６によってその開口部が閉じられるようになっている。背当てパッド１２が背面カバー１１の下に収納されている状態では、背当て部３の剛性が高まる。一方、背当てパッド１２を取り外した状態では、背当て部３の上方部分を背面側に折り返すことが可能となる。
【００２２】
なお、ヘッドサポート部４および１対の側方張出部５は、その内部にパッド等の比較的剛性のある部材を有していて、所定の保形性を発揮する。ヘッドサポート部４は背当て部３に対して屈曲可能であり、また１対の側方張出部５はヘッドサポート部４に対して屈曲可能である。
【００２３】
図１、図２、図６および図７に示すように、前当て部１は、表側の中央の布地を内側に畳み込んだまち部２０と、このまち部２０を閉じるように前当て部１の中央において上下に延びるスライドファスナ２１とを有している。図７に示すようにスライダ２２を下方に引き下げるとまち部２０が露出するようになるので、前当て部１の幅方向長さを大きくすることができる。身体の大きい乳幼児の場合にスライドファスナ２１を開いた状態で使用すれば、乳幼児の腹部を大きな面積となった前当て部１で支持することができる。スライダ２２の引き下げ位置を適宜調節すれば、乳幼児の大きさに適合した背当て部１の面積とすることができる。このように、前当て部１に、まち部２０と、幅方向への広がりを禁止するスライドファスナ２１とを設けることにより、乳幼児の身体の大きさに合わせた腹部部分の容積調整が可能となる。
【００２４】
図１、図２、図６および図７に示した実施形態では、まち部は内側に畳み込まれていたが、外側に畳み込むようにしてもよい。また、まち部が幅方向に広がるのを阻止する係止部材として、スライドファスナを示したが、他の手段を用いることも可能である。さらに、腹部部分の容積調整を可能にするための手段としてまち部以外のものも可能である。要するに、前当て部の幅方向長さが可変であるならば、どのような構造のものでもよい。この場合、固定手段は、前当て部の幅方向長さを固定するものであればよい。
【００２５】
次に子守帯の種々の使用形態について説明する。
【００２６】
図４は、１対の側方張出部５の先端にある先端連結具７を、最も上方の位置にある第１連結具８に係合させている状態を示している。前当て部１に取り付けられている連結具１９は、最も下方の位置にある第３連結具１０に係合している。図４に示す状態では、ヘッドサポート部４は、背当て部３とほぼ同方向に延在する。図１１に示す対面縦抱き、または図１４に示すおんぶをするとき、図４に示す使用形態とする。図１２は対面縦抱きをしている母親の背面を示しており、１対のベルト部材１３および１４は母親の背中で交差している。
【００２７】
図５は、１対の側方張出部５の先端にある先端連結具７を、中間の位置にある第２連結具９に係合させている状態を示している。この状態では、ヘッドサポート部４は、背当て部３に対して起立した形態となる。図１０に示す横抱きをするとき、図５に示す使用形態とする。起立したヘッドサポート部４および１対の側方張出部５は、乳幼児の頭部の周りを取り囲むので安全上好ましい。
【００２８】
図８は、ヘッドサポート部４を背当て部３の背面上に重なるように折り返し、１対の側方張出部５の先端にある先端連結具７を、最も上方の位置にある第１連結具８に係合させている状態を示している。身体の大きい乳幼児を図１３に示すように対面縦抱きするとき、あるいは図１５に示すようにおんぶするときに、図８に示す使用形態とする。ヘッドサポート部４を折り返すことにより、背当て部３よりも上方に位置する領域が開放されるので、ヘッドサポート部４の存在が邪魔にならない。
【００２９】
図９は、背当てパッド１２を取り外し、背当て部３の上方部分をヘッドサポート部４と共に背当て部３の下方部分の背面上に重なるように折り返し、１対の側方張出部５の先端にある先端連結具７を、中間の位置にある第２連結具９に係合させている状態を示している。図１６に示すように乳幼児を前方に向けて縦抱きをするときには、図９に示す使用形態とし、乳幼児の顔の前の視界を大きく開放する。
【００３０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３１】
この発明は、成長に合わせてサイズを変更できる子守帯に有利に利用され得る。
【図面の簡単な説明】
【００３２】
【図１】子守帯の展開状態を示す図であり、内側の面を示している。
【図２】子守帯の展開状態を示す図であり、外側の面を示している。
【図３】子守帯の展開状態を示す図であり、背当てパッドを取り外した状態を示している。
【図４】子守帯の一使用形態を示す図であり、ヘッドサポート部が背当て部とほぼ同方向に延在している状態を示している。
【図５】子守帯の他の使用形態を示す図であり、ヘッドサポート部が背当て部に対して起立している状態を示している。
【図６】使用状態にある子守帯の前当て部を正面側から見た図である。
【図７】前当て部の幅方向の広がりを大きくした状態を示す図である。
【図８】子守帯の他の使用形態を示す図であり、ヘッドサポート部を背当て部の背面側に折り返した状態を示している。
【図９】子守帯の他の使用形態を示す図であり、背当て部の上方部分をヘッドサポート部と共に折り返した状態を示している。
【図１０】横抱きの形態を示す図である。
【図１１】対面縦抱きの形態を示す図である。
【図１２】対面縦抱きのときの母親を背面側から見た図である。
【図１３】ヘッドサポート部を折り返して対面縦抱きをしている形態を示す図である。
【図１４】おんぶの形態を示す図である。
【図１５】ヘッドサポート部を折り返しておんぶをしている形態を示す図である。
【図１６】乳幼児が前方に向いている縦抱き状態を示している。
【符号の説明】
【００３３】
１  前当て部、２  股当て部、３  背当て部、４  ヘッドサポート部、５  側方張出部、６  側部形成部材、６１  側壁形成部、６２  肩掛け帯部、７  先端連結具、８  第１連結具、９  第２連結具、１０  第３連結具、１１  背面カバー、１２  背当てパッド、１３  第１ベルト部材、１４  第２ベルト部材、１５，１６  面ファスナ、１７  連結差込具、１８  連結受具、１９  連結具、２０  まち部、２１  スライドファスナ、２２  スライダ。
【図１】
2005270177.tif 000003
【図２】
2005270177.tif 000004
【図３】
2005270177.tif 000005
【図４】
2005270177.tif 000006
【図５】
2005270177.tif 000007
【図６】
2005270177.tif 000008
【図７】
2005270177.tif 000009
【図８】
2005270177.tif 000010
【図９】
2005270177.tif 000011
【図１０】
2005270177.tif 000012
【図１１】
2005270177.tif 000013
【図１２】
2005270177.tif 000014
【図１３】
2005270177.tif 000015
【図１４】
2005270177.tif 000016
【図１５】
2005270177.tif 000017
【図１６】
2005270177.tif 000018